(57)【要約】      （修正有）【課題】互いに重ね合わせることができ、汎用性を向上させるとともに電子物品積載ケースの数を減少し、更に空間の浪費を減らしてコストを削減できる電子物品積載ケースと収納ユニットとを備える電子物品積載装置を提供する。【解決手段】各電子物品積載ケース３は、積載機構３１と間隔をあけて積載機構に形成された複数の重ね合わせ位置決め機構３２とを備える。収納ユニット４は、互いに重ね合わせられた任意の２つの電子物品積載ケースの間に置かれて電子物品２００を収納するための弾性収納機構４１を備える。弾性収納機構を利用して電子物品を収納するとともに、任意の２つの電子物品積載ケースの重ね合わせ位置決め機構を互いに係合し位置決めて弾性収納機構を挟持し位置決めさせることにより、電子物品を重ね合わせ位置決め機構の間に介在させる。【選択図】図３
0003202962.tif 000002
【実用新案登録請求の範囲】
【請求項１】
電子物品を収納するための電子物品積載装置であって、  
積載機構と間隔をあけて前記積載機構に形成された複数の重ね合わせ位置決め機構とを備え、互いに重ね合わせることができる複数の電子物品積載ケースと、
互いに重ね合わせられた任意の２つの前記電子物品積載ケースの間に置かれて前記電子物品を収納するための弾性収納機構を備える収納ユニットと、
を備え、
任意の２つの前記電子物品積載ケースの前記重ね合わせ位置決め機構は、互いに係合した状態で位置決めるとともに、前記弾性収納機構を挟持した状態で位置決めさせることができ、且つ前記電子物品は前記重ね合わせ位置決め機構の間に介在する電子物品積載装置。
【請求項２】
各重ね合わせ位置決め機構は、窪むように前記積載機構に形成された窪み部と、前記積載機構から突出する突出部とを有し、
前記突出部には前記窪み部と合わせる結合溝が形成されており、
任意の２つの前記電子物品積載ケースが収納位置で上下に積み上げられた場合、上方にある前記電子物品積載ケースの前記重ね合わせ位置決め機構の窪み部は、下方にある前記電子物品積載ケースの前記重ね合わせ位置決め機構の突出部の結合溝に対応して係合状態で位置決められて、前記弾性収納機構を挟持した状態で位置決めする請求項１に記載の電子物品積載装置。
【請求項３】
任意の２つの前記電子物品積載ケースがスタック位置で上下に積み上げられた場合、上方にある前記電子物品積載ケースの前記重ね合わせ位置決め機構の窪み部と突出部は、下方にある前記電子物品積載ケースの前記重ね合わせ位置決め機構の窪み部と突出部にそれぞれ対応して係止されている請求項２に記載の電子物品積載装置。
【請求項４】
前記重ね合わせ位置決め機構の窪み部、前記重ね合わせ位置決め機構の突出部及び前記重ね合わせ位置決め機構の突出部の結合溝は一側が広く他側が狭い縦断面を有する請求項２又は３に記載の電子物品積載装置。
【請求項５】
各重ね合わせ位置決め機構は、前記積載機構から突出する突出部と窪むように前記積載機構に形成された窪み部とを有し、
前記窪み部には前記突出部と合わせるスナップキャップが形成されており、
任意の２つの前記電子物品積載ケースが収納位置で上下に積み上げられた場合、上方にある前記電子物品積載ケースの前記重ね合わせ位置決め機構の窪み部のスナップキャップは、下方にある前記電子物品積載ケースの前記重ね合わせ位置決め機構の突出部に対応して係合状態で位置決められて、前記弾性収納機構を挟持した状態で位置決めする請求項１に記載の電子物品積載装置。
【請求項６】
任意の２つの前記電子物品積載ケースがスタック位置で上下に積み上げられた場合、下方にある前記電子物品積載ケースの突出部とスナップキャップは上方にある前記電子物品積載ケースの突出部とスナップキャップにそれぞれ対応して係止されている請求項５に記載の電子物品積載装置。
【請求項７】
前記重ね合わせ位置決め機構の突出部、前記重ね合わせ位置決め機構の窪み部及び前記重ね合わせ位置決め機構の窪み部のスナップキャップは、一側が広く、他側が狭い縦断面を有する請求項５又は６に記載の電子物品積載装置。
【請求項８】
各重ね合わせ位置決め機構の窪み部と突出部は第１方向に沿って隣接して設けられている請求項２〜請求項７のいずれか一項に記載の電子物品積載装置。
【請求項９】
重ね合わせ位置決め機構は二つ毎に前記第１方向と異なる第２方向に沿って間隔をあけて前記積載機構の両側に形成されている請求項８に記載の電子物品積載装置。
【請求項１０】
前記収納ユニットの前記弾性収納機構は二枚の被覆膜を有し、前記電子物品は前記被覆膜により被覆されている請求項１〜請求項９のいずれか一項に記載の電子物品積載装置。
【考案の詳細な説明】
【技術分野】
【０００１】
本考案は積載装置に関し、特に電子物品積載装置に関する。
【背景技術】
【０００２】
図１、２を参照して、日本特開平１０-３２９８８６号の特許「電子部品収納用トレイ」に開示された電子部品収納用トレイ１は、フレーム１２を有する本体１１と、該本体１１に凹状に形成された収納部１３とを含む。該フレーム１２は上が広くて下が狭い突縁１２１を有する。  上下に段積みされた電子部品収納用トレイ１は上が広くて下が狭い突縁１２１を利用することにより、上下に段積みされた本体１１の間に一定の間隔を確保させ、該収納部１３により電子部品１００を収納するようにする。
従来の電子部品収納用トレイ１は該収納部１３で電子部品１００を収納することができるが、周知のように、電子部品１００はサイズが異なるので、該本体１１に凹状に形成された収納部１３を利用して電子部品１００を収納する場合、汎用性が低いだけでなく、異なるサイズの電子部品１００を収容するためには、サイズの異なる電子部品１００に対応する多数の収納部１３が形成されている電子部品収納用トレイ１を用意する必要があり、これによって、収納空間を無駄にするだけではなく、コストも増加する。
【考案の概要】
【考案が解決しようとする課題】
【０００３】
このため、本考案は、汎用性が高いとともに空間の浪費を減らし且つコストを削減できる電子物品積載装置を提供することを目的とする。
【課題を解決するための手段】
【０００４】
本考案の電子物品積載装置は電子物品を収納するためのものであって、該電子物品積載装置は、互いに重ね合わせることができる複数の電子物品積載ケースと、収納ユニットとを備える。
各電子物品積載ケースは、積載機構と、間隔をあけて該積載機構に形成された複数の重ね合わせ位置決め機構とを備える。該収納ユニットは互いに重ね合わせられた任意の２つの電子物品積載ケースの間に置かれ該電子物品を収納するための弾性収納機構を含む。任意の２つの電子物品積載ケースの重ね合わせ位置決め機構は互いに係合し位置決めるとともに前記弾性収納機構を挟持し位置決めさせることができ、前記電子物品は前記重ね合わせ位置決め機構の間に介在する。
【考案の効果】
【０００５】
本考案は、該弾性収納機構を用いて電子物品を収納し、任意の２つの電子物品積載ケースの重ね合わせ位置決め機構を互いに係合し位置決めるとともに該弾性収納機構を挟持し位置決めさせることにより、該電子物品を前記重ね合わせ位置決め機構の間に介在させて、汎用性を向上させるとともに電子物品積載ケースの数を減少し、更に空間の浪費を減らしてコストを削減させる効果を奏する。
【０００６】
本考案の他の特徴と効果は、添付図面を参照とした実施形態により明らかとなるであろう。
【図面の簡単な説明】
【０００７】
【図１】日本特開平１０-３２９８８６号の特許「電子部品収納用トレイ」を説明する平面図である。
【図２】図１の電子部品を収納する様子を説明する部分断面図である。
【図３】本考案の電子物品積載装置の第１実施例を説明する斜視図である。
【図４】該第１実施例における重ね合わせ位置決め機構の位置を説明する平面図である。
【図５】該第１実施例の電子物品積載ケースがスタック位置にある場合を説明する斜視図である。
【図６】図５のＸ方向に沿った、該第１実施例の電子物品積載ケースがスタック位置にある場合の突出部と窪み部の形態を説明する部分断面図である。
【図７】図５のＹ方向に沿った、該第１実施例の電子物品積載ケースがスタック位置にある場合の突出部の形態を説明する他の部分断面図である。
【図８】該第１実施例の電子物品積載ケースが収納位置にある場合を説明する斜視図である。
【図９】図８のＸ方向に沿った、該第１実施例の電子物品積載ケースが収納位置にある場合の突出部と窪み部の形態を説明する部分断面図である。
【図１０】図８のＹ方向に沿った、該第１実施例の電子物品積載ケースが収納位置にある場合の突出部の形態を説明する他の部分断面図である。
【図１１】本考案の電子物品積載装置の第２実施例がスタック位置にある場合を説明する斜視図である
【図１２】図１１のＸ方向に沿った、該第２実施例の電子物品積載ケースがスタック位置にある場合の突出部と窪み部の形態を説明する部分断面図である。
【図１３】図１１のＹ方向に沿った、該第２実施例の電子物品積載ケースがスタック位置にある場合の窪み部の形態を説明する他の部分断面図である。
【図１４】該第２実施例の電子物品積載ケースが収納位置にある場合の突出部と窪み部の形態を説明する部分断面図である。
【図１５】該第２実施例の電子物品積載ケースが収納位置にある場合の窪み部の形態を説明する他の部分断面図である。
【考案を実施するための形態】
【０００８】
本考案の詳細な説明に先立って、以下の説明では、同様の構成要素は同一の番号で表すことを注意すべきである。
【０００９】
図３、４を参照して、本考案の電子物品積載装置２の第１実施例は、電子物品積載ケース３と、２つの電子物品２００の収納に用いることができる収納ユニット４と備える。
【００１０】
該電子物品積載ケース３は、積載機構３１と、間隔をあけて該積載機構３１に形成された複数の重ね合わせ位置決め機構３２とを含む。各重ね合わせ位置決め機構３２には、階段状に窪むように該積載機構３１に形成された窪み部３２１と、該積載機構３１から突出する突出部３２２と、を有し、該突出部３２２には該窪み部３２１と合わせる結合溝３２３が形成されている。本実施例では、各重ね合わせ位置決め機構３２の窪み部３２１と突出部３２２は図４における第１方向Ｘに沿って隣接して設けられ、重ね合わせ位置決め機構３２は二つ毎に図４における該第１方向Ｘと異なる第２方向Ｙに沿って間隔をあけて該積載機構３１の両側に形成されており、本実施例では、該第１方向Ｘが該第２方向Ｙに垂直しているが、この形態に限定されない。
【００１１】
該収納ユニット４は、電子物品２００を収納するための弾性収納機構４１を含む。該弾性収納機構４１は電子物品２００を被覆するための上部と下部の二枚の被覆膜４１１を有する。
【００１２】
図５を参照して、通常使用しない場合、上下にスタッキングされた電子物品積載ケース３は図５に示すスタック位置にある。この場合、上方に位置する電子物品積載ケース３の窪み部３２１と突出部３２２は、下方に位置する電子物品積載ケース３の窪み部３２１と突出部３２２に対応する。
【００１３】
図６、７を参照して、同時に図５を参照すると、図６は図５のＸ方向に沿った断面図であり、図７は図５のＹ方向に沿った断面図である。上下にスタッキングされた電子物品積載ケース３は該スタック位置にある場合、略階段状であって上側が広くて下側が狭い窪み部３２１と、略テーパ状であって上側が広くて下側が狭い結合溝３２３を利用することにより、上方にある電子物品積載ケース３の窪み部３２１と突出部３２２をそれぞれに下方にある電子物品積載ケース３の窪み部３２１と突出部３２２の結合溝３２３に対応して係止させて、上下にスタッキングされた電子物品積載ケース３の高さを大幅に減少し、これにより、一定の空間により多い電子物品積載ケース３を収納することができ、更に空間の浪費を減らすことができる。
【００１４】
図８を参照して、使用する場合、電子物品２００が収納された収納ユニット４を上下にスタッキングされた２つの電子物品積載ケース３の間に置く。この際、上下にスタッキングされた電子物品積載ケース３は、図８に示す水平角が１８０°違う収納位置に位置する。この場合、上方にある電子物品積載ケース３の重ね合わせ位置決め機構３２の窪み部３２１と突出部３２２は、それぞれ下方にある電子物品積載ケース３の重ね合わせ位置決め機構３２の突出部３２２と窪み部３２１に対応する。
【００１５】
図９、１０を参照して、同時に図８を参照すると、図９は図８のＸ方向に沿った断面図であり、図１０は図８のＹ方向に沿った断面図である。上下にスタッキングされた電子物品積載ケース３が該収納位置にある場合、上方にある電子物品積載ケース３の重ね合わせ位置決め機構３２の窪み部３２１が、下方にある電子物品積載ケース３の重ね合わせ位置決め機構３２の突出部３２２に対応して係合状態で位置決められ、且つ部分的に該結合溝３２３に挿入することにより、該弾性収納機構４１を挟持した状態で位置決めする。よって、電子物品２００を重ね合わせ位置決め機構３２と上下にスタッキングされた積載機構３１との間に位置させる。説明の便宜のために、図９では該収納ユニット４と電子物品２００を省略した。
【００１６】
弾性収納機構４１を用いて異なるサイズと外観の電子物品２００を収納し、任意の２つの電子物品積載ケース３の重ね合わせ位置決め機構３２が該収納位置にある場合互いに係合させ位置決めさせて、該弾性収納機構４１を挟持し位置決めすることにより、電子物品２００を重ね合わせ位置決め機構３２と積載機構３１との間に位置させて、汎用性を向上させるとともに電子物品積載ケース３の数を減少し、更に収納空間の浪費を減らしコストを削減させる。
【００１７】
図１１、１２を参照して、本考案の電子物品積載装置２の第２実施例は該第１実施例とほぼ同じであるが、該電子物品積載ケース３の各重ね合わせ位置決め機構３２は、略階段状であって該積載機構３１から突出した突出部３２２と、窪むように該積載機構３１に形成された窪み部３２１と、該窪み部３２１から突出して形成し略テーパ状であって上側が狭くて下側が広いスナップキャップ３２４とを有する点で異なる。
【００１８】
図１２、１３を参照して、同時に図１１を参照すると、図１２は図１１のＸ方向に沿った断面図であり、図１３は図１１のＹ方向に沿った断面図である。上下にスタッキングされた電子物品積載ケース３は該スタック位置にある場合、上側が狭くて下側が広い突出部３２２と上側が狭くて下側が広いスナップキャップ３２４を利用することにより、下方にある電子物品積載ケース３の突出部３２２とスナップキャップ３２４をそれぞれに上方にある電子物品積載ケース３の突出部３２２とスナップキャップ３２４に対応して係止させて、上下にスタッキングされた電子物品積載ケース３の高さを大幅に減少し、これにより、一定の空間により多い電子物品積載ケース３を収納することができ、更に空間の浪費を減らすことができる。
【００１９】
図１４、１５を参照して、上下にスタッキングされた電子物品積載ケース３が該収納位置にある場合、上方にある電子物品積載ケース３の重ね合わせ位置決め機構３２のスナップキャップ３２４が下方にある電子物品積載ケース３の重ね合わせ位置決め機構３２の突出部３２２に対応して係合状態で位置決められ、同時に階段状の突出部３２２の一部が該スナップキャップ３２３に挿入され、弾性収納機構４１を挟持した状態で位置決めする。説明の便宜のために、図１４では該弾性収納機構４１を省略した。
【００２０】
本実施例は、該第１実施例とほぼ同じであるため、該第１実施例と同じ効果を達成する以外、使用者に他の形式の選択を供する。
【００２１】
以上のように、本考案の電子物品積載装置２は、弾性収納機構４１を利用して電子物品２００を収納し、且つ任意の２つの電子物品積載ケース３の重ね合わせ位置決め機構３２を互いに係合して位置決めさせるとともに該弾性収納機構４１を挟持し位置決めすることにより、該電子物品２００を重ね合わせ位置決め機構３２の間に位置させることにより、汎用性を向上させるとともに電子物品積載ケース３の数を減少し、更に空間の浪費を減らしコストを低減させるため、本考案の目的を確実に達成することができる。
【００２２】
以上に記載の内容は、ただ本考案の好ましい実施例に過ぎず、本考案の実施範囲を限定するためのものではない。即ち、本考案の請求の範囲及び本説明内容に基づいた簡単な等価の変更と変形は、いずれも本考案の範囲に属する。
【符号の説明】
【００２３】
２      電子物品積載装置        
３      電子物品積載ケース        
３１    積載機構                    
３２    重ね合わせ位置決め機構      
３２１  窪み部                    
３２２  突出部                    
３２３  結合溝                    
３２４  スナップキャップ
４      収納ユニット
４１    弾性収納機構
４１１  被覆膜
２００  電子物品
Ｘ      第１方向
Ｙ      第２方向
【図１１】
0003202962.tif 000003
【図１】
0003202962.tif 000004
【図２】
0003202962.tif 000005
【図３】
0003202962.tif 000006
【図４】
0003202962.tif 000007
【図５】
0003202962.tif 000008
【図６】
0003202962.tif 000009
【図７】
0003202962.tif 000010
【図８】
0003202962.tif 000011
【図９】
0003202962.tif 000012
【図１０】
0003202962.tif 000013
【図１２】
0003202962.tif 000014
【図１３】
0003202962.tif 000015
【図１４】
0003202962.tif 000016
【図１５】
0003202962.tif 000017